(57)【要約】      （修正有）【課題】相応する装置装備がある場合でさえも、同等のコストでは再現不可能である偽造防止手段を形成すること。【解決手段】偽造防止手段は、有利にはグレー領域を含んでいる。グレー領域の視覚的出現像は画像形成時の送り変化によって変えられ、殊に、Ｙ方向にある、明るいストリップないし暗いストリップないしはＸ方向に延在している明暗パターンを有している。これらはＸ方向において、理想的な位置２ａ’〜２ｆ’から異なっている、画像形成線２ａ〜２ｆのポジショニングないし位置によって形成される。択一的に、印刷製品の他の画像内容も、相応する偽造防止手段を設けるために使用されるが、高速スキャン方向での線から成るグレー領域は、画像形成線間隔の変化に非常に敏感に反応し、従って有利には偽造防止手段を設けるために使用される。【選択図】図１
2008023997.tif 000002
【特許請求の範囲】
【請求項１】
印刷版上に偽造防止手段を作製する方法であって、
画像形成装置（３）を使用する形式の方法において、
当該画像形成装置（３）の送りを変えることによって偽造防止手段（７）を作製する、
ことを特徴とする、印刷版上に偽造防止手段を作製する方法。
【請求項２】
前記送りを、プロファイル群からの一定ではないプロファイルに相応して行い、
当該プロファイル郡は、周期的なプロファイル、非周期的なプロファイル、およびランダムに形成されたプロファイルを含んでいる、請求項１記載の方法。
【請求項３】
画像形成装置（３）の送りを変えることによって、印刷版上に偽造防止手段を作製するための画像形成装置の使用。
【請求項４】
印刷版上に偽造防止手段を作製する装置であって、
当該装置は、少なくとも１つの画像形成ユニット（４）を有する画像形成装置（３）を含んでいる形式の装置において、
前記装置は制御装置（Ｓ）を含んでおり、
当該制御装置は、前記送りが変化するように、画像形成装置（３）を送るための送り駆動部（Ｍ）を駆動制御する、
ことを特徴とする、印刷版上に偽造防止手段を作製する装置。
【請求項５】
前記送りは、プロファイル群からの一定ではないプロファイルに相応して行われ、
当該プロファイル郡は、周期的なプロファイル、非周期的なプロファイル、およびランダムに形成されたプロファイルを含んでいる、請求項４記載の装置。
【請求項６】
印刷材料を処理する機械、殊に印刷機または枚葉紙を処理する、リソグラフィオフセット印刷用の輪転印刷機であって、
請求項４または５に記載された装置を有している、
ことを特徴とする、印刷材料を処理する機械。
【請求項７】
印刷技術において使用される偽造防止手段であって、
当該偽造防止手段（７）は画像形成線（２ａ〜２ｆ）を含んでおり、
当該画像形成線は、各理想的な位置（２ａ’〜２ｆ’）からずらして配置されている、
ことを特徴とする、偽造防止手段。
【請求項８】
画像形成によって作製された、請求項７に記載された偽造防止手段（７）を有する印刷版。
【請求項９】
印刷によって作製された、請求項７に記載された偽造防止手段（７）を有する印刷製品。
【請求項１０】
前記偽造防止手段（７）はグレー領域（８）内に配置されている、請求項９記載の印刷製品。
【発明の詳細な説明】
【技術分野】
【０００１】
本発明は、画像形成装置を使用する形式の、印刷版上に偽造防止手段を形成する方法に関する。さらに、本発明は、請求項３に記載された特徴部分の構成を有する、印刷版上に偽造防止手段を形成するための画像形成装置の使用に関する。さらに、本発明は、少なくとも１つの画像形成ユニットを有する画像形成装置を含んでいる、印刷版上に偽造防止手段を形成する装置に関する。さらに本発明は、請求項７の上位概念に記載された構成を有する、印刷技術で使用される偽造防止手段に関する。さらに本発明は、請求項８および９の特徴部分に記載された、画像形成によって作製された偽造防止手段を有する印刷版および印刷によって作製された偽造防止手段を有する印刷製品に関する。
【背景技術】
【０００２】
ＷＯ０１／８７６３２号から、請求項１の上位概念に記載された方法が公知である。ＷＯ０１／８７６３２号は、偽造防止手段の形成を開示している。この文献では、偽造防止手段内で、ラスター点が自身の理想的な位置からずらして配置されている。偽造防止手段の縁部では、段階的な移行領域が実現される。この段階的な移行領域は、偽造防止手段が背景から目立ってしまうことを阻止する。しかし、どのようにして、ずらさして配置されたラスター点が形成されるのかは記載されていない。殊に、画像形成方法自体が変えられるのか否かは記載されていない。開示されたこの偽造防止手段は、次のような欠点を有している。すなわち、相応する装置装備がある場合には、高解像度スキャンによって、同等の匹敵するコストをかけてこの偽造防止手段が再現されてしまうという欠点である。
【特許文献１】世界知的所有権機関ＷＯ０１／８７６３２号
【特許文献２】ドイツ連邦共和国特許出願第１００３１９１５Ａ１号公報
【発明の開示】
【発明が解決しようとする課題】
【０００３】
本発明の課題は、従来技術に改良を施し、従来技術の上述した欠点を克服するということである。
【０００４】
本発明の別の、または択一的な課題は、従来技術に対して改良を施し、相応する装置装備がある場合でさえも、同等のコストでは再現不可能である偽造防止手段を形成することである。
【０００５】
本発明の別の、または択一的な課題は、容易かつ低コストに作製され、同時に高いセキュリティ基準を保証する偽造防止手段が形成されるように、従来技術に対して改善を施すことである。
【課題を解決するための手段】
【０００６】
上述の課題は、本発明では、画像形成装置の送りを変えることによって偽造防止手段を作製する方法、画像形成装置の送りを変えることによって、印刷版上の偽造防止手段を作製するための画像形成装置の使用、制御装置を含んでおり、当該制御装置は、前記送りが変化するように、画像形成装置を送るための送り駆動部を駆動制御する、印刷版上に偽造防止手段を作製する装置、画像形成線を含んでおり、当該画像形成線は、各理想的な位置からずらして配置されている偽造防止手段、画像形成によって作製された偽造防止手段を有する印刷版および印刷によって作製された偽造防止手段を有する印刷製品によって解決される。
【発明を実施するための最良の形態】
【０００７】
本発明の有利な発展形態は従属請求項並びに、以下の明細書および属する図面に記載されている。
【０００８】
画像形成装置が使用される、印刷版上に偽造防止手段を形成する本発明の方法は、画像形成装置の送り（Vorschub）が変えられることによって、偽造防止手段が形成されるという特徴を有している。
【０００９】
本発明による送り変化、すなわち、送りが変えられた画像形成によってないし送りが変えられた画像形成線の形成によって、偽造防止手段が形成されることによって、次のような偽造防止手段が得られる。すなわち、使用される送り変化が既知でない場合には再現不可能であり、または不当に高い（計算）コストをかけた場合にのみ再現可能であり、従って、容易かつ低コストの作製にもかかわらず、非常に高いセキュリティ基準を保証する偽造防止手段が得られる。
【００１０】
可変送りに関する、本発明による装置の別の有利な発展形態は次のような特徴を有している。すなわち、送りが、プロファイル群からの一定ではないプロファイルに相応に行われるという特徴を有している。このプロファイル群は周期的なプロファイル、非周期的なプロファイル、ランダムに作製されたプロファイルを含んでいる。
【００１１】
印刷版上に偽造防止手段を形成する画像形成装置の本発明による使用では、画像形成装置の送りが変えられることによって、偽造防止手段が形成される。
【００１２】
少なくとも１つの画像形成ユニットを有する画像形成装置を含む、印刷版上に偽造防止手段を形成する本発明の装置は、次の特徴を有している。すなわちこの装置が制御装置を有しており、この制御装置が、画像形成装置を送るための送り駆動部を、この送りが変化するように制御する、という特徴を有している。
【００１３】
変化する送りに関する、本発明による装置の別の有利な発展形態は次のような特徴を有している。すなわち、送りが、プロファイル群からの一定ではないプロファイルに相応に行われるという特徴を有している。このプロファイル群は周期的なプロファイル、非周期的なプロファイル、ランダムに作製されたプロファイルを含んでいる。
【００１４】
本発明による印刷材料処理機械、殊に印刷機または枚葉紙を処理する、リソグラフィオフセット印刷用の輪転印刷機は、上述した装置を有しているという特徴を有している。
【００１５】
印刷技術において使用される本発明の偽造防止手段は、次のような特徴を有している。すなわち、偽造防止手段が、自身の各理想的な位置からずらして配置されている画像形成線を含んでいるという特徴を有している。
【００１６】
本発明の印刷版は、画像形成によって作製された、少なくとも１つの上述した偽造防止手段を有しているいという特徴を有している。
【００１７】
本発明の印刷製品は、印刷によって作製された、少なくとも１つの、上述の偽造防止手段を有しているいという特徴を有している。
【００１８】
視覚的な知覚可能性に関する別の有利な、本発明の発展形態は、偽造防止手段がグレー領域内に配置されているという特徴を有している。
【００１９】
上述した発明および上述した、本発明の有利な発展形態を、本発明の有利な発展形態と相互に任意に組み合わせてもよい。
【００２０】
本発明並びに、本発明の別の構造的かつ機能的に有利な発展形態を以下で、添付図面を参照し、少なくとも１つの有利な実施例に基づいてより詳細に説明する。
【実施例】
【００２１】
図１は、画像形成された印刷版１、例えば版板または刷版胴の表面の画像形成線の一部分の拡大図を示している。例えば６つの線２ａ〜２ｆの部分が示されている。これらの線はＹ方向に対して平行に配向されている。Ｙ方向はこの実施例では、いわゆる内側ドラム露光部または外側ドラム露光部の高速スキャン方向に相応する。この画像形成線は、中断されていない線として、または画像形成点（ピクセル）が集合した、中断されていない線または中断された線として構成されている。
【００２２】
印刷版１は有利にはいわゆるインターリーブ方法によって画像形成される、ないし書き込まれる。このインターリーブ方法は、画像形成装置３ないし画像形成ヘッド、有利にはレーザヘッドの使用に基づく。この画像形成ヘッドはＸ方向に一定の送り速度で動かされ、Ｘ方向に相互に間隔をあけて配置された複数の画像形成ユニット４を有している。この画像形成ユニット４は有利には、ダイオードレーザから成る個々のレーザチャネル４またはダイオードレーザバーから成るレーザチャネル４である。Ｘ方向はこの実施例では、いわゆる内側ドラム露光部または外側ドラム露光部の低速スキャン方向に相応する。同時に印刷版１をＹ方向に、例えば湾曲された印刷版１を収容する露光ドラムを回転させることによって動かし、画像形成装置３をＸ方向に、例えば装置３をトラバース５に沿って移動させることによって動かすことで、印刷版１上に、画像形成線２ａ〜２ｆが、書き込み線の形で形成される。ここで、種々異なるレーザチャネル４によって形成された書き込み線は相互に入り組んでいる。送り運動の制御はここで各レーザチャネル４の間隔を考慮すべきである。このような画像形成方法は、ＤＥ１００３１９１５Ａ１号内に詳細に説明されている。
【００２３】
しかし本発明はこの有利なインターリーブ画像形成方法に限られているのではない。送り方向に運動可能な１つのレーザチャネル４のみで画像形成を行うことも可能である。ここでこのレーザチャネルの送り運動は、相応する制御を介して変化する。しかしこの種の画像形成は装置装備が与えられている場合、すなわち、インターリーブ方法を使用するプレート露光部が与えられている場合には、容易に、すなわちプレート露光部での技術的な変更なしに実行可能である。従って、同じ装置装備を使用する、偽造を行おうとする者には、偽造の可能性がさらに困難にされる。
【００２４】
本発明の方法は例えば、プレート露光部の制御装置、例えばHeidelberger Druckmaschinen AG社の、インターリーブ方法を使用する上位セッティング部内に呼び出し可能なプロシージャとして格納される。従って本発明の方法は有利には既に使用可能なCTP技術によって実行可能である。
【００２５】
本発明ではＸ方向での画像形成装置３の送りは有利には継続的に、しかし変化を伴って行われる。すなわち、送りは一定ではなく、例えば周期的に変化する。図１では、どのように画像形成線２ａ〜２ｆが、一定の送りを想定して作製された自身の理想的な位置２ａ’〜２ｆ’から、Ｘ方向でまたはｘ方向と反対に偏差して配置されているのか、すなわちずらして配置されているのかが示されている。画像形成線２ａ〜２ｆは有利には約１０マイクロメータの幅を有しており、同じように約１０マイクロメータの理想的な間隔を有している。例えば画像形成線２ｂは送り速度を低減させることによって、Ｘ方向において、理想的な位置２ｂ’より前方に配置され、画像形成線２ｃは送り速度を上昇させることによって、Ｘ方向において、理想的な位置２ｃ’より後方に配置される。図１から分かるように、各画像形成線の間隔は、送り変化によって変えられている。
【００２６】
有利な連続的な送りの代わりに、間欠的な送りを設定することもできる。このような場合には「送り変化」が意図されている。送りは一定のステップ幅で行われるのではなく、ステップ幅が変化する、または固定されたステップ幅の数が変化する。
【００２７】
画像形成装置の送り駆動部Ｍを駆動制御するために、制御装置Ｓが設けられる。Ｘ方向での送り変化は上述したように周期的に、例えば正弦状に行われるが、例えば非周期的に行われてもよい。択一的にこの変化を、有利には制御装置Ｓ内に設けられたランダム発生器を用いてランダムに行ってもよい。同じように択一的に、この変化が、特定の、例えば計算され、格納された、有利には制御装置Ｓ内に格納された速度プロファイルに追従してもよい。
【００２８】
図２には、印刷製品６の一部が示されている。この区間は、印刷製品６の印刷された偽造防止手段７を示している。偽造防止手段７は、有利にはグレー領域８を含んでいる。グレー領域８の視覚的出現像は画像形成時の送り変化によって変えられ、殊に、Ｙ方向にある、明るいストリップ９ないし暗いストリップ９ないしはＸ方向に延在している明暗パターン１０を有している。これらはＸ方向において、理想的な位置２ａ’〜２ｆ’から異なっている、画像形成線２ａ〜２ｆのポジショニングないし位置によって形成される。択一的に、印刷製品６の他の画像内容も、相応する偽造防止手段を設けるために使用されるが、高速スキャン方向での線から成るグレー領域は、画像形成線間隔の変化に非常に敏感に反応し、従って有利には偽造防止手段を設けるために使用される。
【００２９】
本発明に相応して作製された偽造防止手段７は、以下の理由から有利に、偽造防止手段として使用される：入力量（例えば２つのレーザチャネル４間の間隔、使用されている線ラスター、送り変化の特性経過ないしプロファイル）が分かっている場合には、結果として生じる、場合によっては可視の、ストリップパターン１０を計算することができるが、画像形成量および画像形成装置が与えられている場合にも、ストリップパターン１０から入力量ないし特定の送り変化を再計算または再現することはできない。または少なくとも、同等ではない高いコストによってのみ再計算または再現することができる：従って送り変化の隠された情報は、偽造防止手段７自体からは導出されない、ないし妥当なコストでは導出されない。従って本発明の方法は、公知、かつその高いセキュリティ故にしばしば使用されるＰＧＰ暗号ソフトウェア方法と比較可能であり、並びに、このソフトウェアによって形成された暗号は、同等でない高いコストおよび時間をかけてのみ解読される。従って、偽造を行おうとする者はこのような偽造防止手段を分析することができるが、得られたデータは、それが高解像度の記録（スキャン）から生じているとしても、相応する送り変化によって、偽造のために使用することができない。なぜなら、画像形成線２ａ〜２ｆのポジショニングは、サブラスター領域内、むしろサブピクセル領域内で生じるからである。
【００３０】
従って偽造を行おうとする者は例えば印刷製品６の作製に同じ装備（例えば同じプレート露光部）を使用し、同じコストをかけた場合でさえも、偽造防止手段７を再生することはできない。この利点は、従来技術の主な公知の偽造防止手段の場合には得られない：その代わりに、偽造を行おうとする者は、装置装備が同じ場合およびコストが同じ場合には大抵の場合には、従来技術の偽造防止手段をコピーすることができる。
【００３１】
本発明に相応して作製された偽造防止手段７を有する印刷製品６を製造するために、以下のことが行われる：色分解の印刷版１の画像形成時には、フィールドには少なくとも偽造防止手段７の形状および大きさは画像形成されない。別個の画像形成過程で、この領域が、送りの変化を用いて画像形成され、例えば明暗パターン１０が設けられたグレー領域８が生じる。従ってこの印刷版１によって製造された全ての印刷製品６は、偽造防止手段７を有している。ここで印刷の版によって印刷が基準として保持される場合には、後に、個々の印刷をこの基準印刷と比較することによってその真偽を推測することができる。基準印刷との比較を介して、疑わしい印刷が、基準印刷と同じ印刷版１によって作製されたものか否かを特定することができる。付加的にまたは択一的に、後の真偽検査のために電子的基準も格納される。電子的基準は例えば、偽造防止手段７の高解像度スキャンまたは場合によっては送り変化のプロトコールであってもよい。さらに、安全なデータ接続を介して電子的基準を分配することも可能である。従って、「現地での」分散した真偽検査を行うことも可能である。
【００３２】
さらに、上述したような送り変化をランダム発生器によって形成することが可能であり、これによって、送り変化のランダムな経過は格納されなくなる。従って、偽造防止されたオリジナルの印刷製品を作製した同じ印刷業者でさえも、顧客が使用された印刷版を保管しているかまたは完全に破棄した場合には、具体的に使用された偽造防止手段を再度作製することができない。
【００３３】
さらに印刷製品６上に、コントロール領域１１を設けることができる。このコントロール領域は、偽造防止手段７の明暗パターン１０に相応する明暗パターン１２を示している。しかしコントロール領域１１の明暗パターン１２は送り変化によってではなく、例えばＡＭラスターまたはＦＭラスターによって形成され、従って「目に対して」のみ、偽造防止手段７の視覚的印象を再現する。このために偽造防止手段７の視覚的印象は事前に計算され、画像形成送りが一定の場合のＡＭラスターまたはＦＭラスターを介して、有利には第１の画像形成路内で形成される。しかし相応に拡大すると、通常の粗くラスター化されたコントロール領域１２と、微細な線ラスター上に形成された偽造防止手段７との間の差が識別可能である。写真コピーの場合にも、高解像度スキャンに基づく再生の場合にも、コントロール領域１２の視覚的印象は偽造防止手段７のそれとは異なるので、「第１印象で」偽造が行われていることを認識することができる。
【００３４】
最後に、偽造防止手段７の電子コピーはコントロール領域１２の電子コピーとともに電子的に分配可能である。顧客は、「現場で」従来のプリンターによってコントロール領域をプリントアウトすることができ、視覚的な印象を、疑わしい製品上の偽造防止手段７の視覚的な印象と比較することができる。これによって、その真偽の第１印象を得ることができる。択一的に顧客は、偽造防止手段７を、従来の高い解像度のスキャナーでスキャンすることができ、電子的に電子コピーと比較することができる。これによって、偽造の存在を識別することができる。
【００３５】
以下で例としてあげられたシナリオが考えられる：製造時に、薬のパッケージに本発明による偽造防止手段７が設けられる。ここで偽造防止手段７がこれに加えて、時間に依存しておよび／または製品に依存していてもよい。偽造防止手段の電子的な基準は、安全なデータ接続を介して薬局に分配される。従って、薬局員は搬入時に、パッケージ上の偽造防止手段７を基準と比較することによって、真偽および場合によっては消費期限データのマニピュレーションを検査することができる。
【００３６】
本発明の方法ないし本発明によって作製された偽造防止手段７は次のような特別な利点を有している。すなわち、非常に良い装置装備を有しているプロの偽造者でも、本発明の偽造防止手段をコピーすることができないという利点を有している。
【００３７】
別の利点は、本発明の方法が増刷時の印刷にも適しており、ここで容易かつ低コストで実行可能であるということである。
【００３８】
本発明の方法はさらに、画像形成時に送り変化が実行される限りは、オフセット印刷（枚葉紙またはウェブを処理する間接的な平刷）でない、フレキソ印刷およびグラビア印刷でも使用可能であるということである。本発明の偽造防止手段７を直接的に、特に重要な印刷製品上に設けることができる。択一的に、偽造防止手段７を、別個のエチケット上に設けることもできる。このエチケットは、同じように、保護されるべき製品上に設けられる（例えば接着される）。
【図面の簡単な説明】
【００３９】
【図１】本発明による偽造防止手段の作製をあらわす（概略）図
【図２】本発明による偽造防止手段の有利な実施例の（概略）図
【符号の説明】
【００４０】
１  印刷版、  ２ａ〜２ｆ  画像形成線、  ２ａ’〜２ｆ’  理想的な位置、  ３  画像形成装置、  ４  画像形成ユニット、  ５  トラバース、  ６  印刷製品、  ７  偽造防止手段、  ８  グレー領域、  ９  ストリップ、  １０  パターン、  １１  コントロール領域、  １２  パターン、  Ｍ  送り駆動部、  Ｓ  制御装置
【図１】
2008023997.tif 000003
【図２】
2008023997.tif 000004